(57)【要約】【課題】専用の固着具を用いることなくフック部を設けることができ、且つ、取付け状態において見栄えの良いフック付きワッシャーセット及び取付物の取付構造を提供する。【解決手段】取付物を被取付部に取り付けるためのねじ２の軸部２ｂが通されるワッシャー部７及びこのワッシャー部７に接続されたフック部８を有するフック付きワッシャー５を備える。フック付きワッシャー５に取り付けられてワッシャー部７に軸部が通されたねじ２の頭部２ａを覆うキャップ６を備える。【選択図】図１
2011200603.tif 000002
【特許請求の範囲】
【請求項１】
取付物を被取付部に取り付けるためのねじの軸部が通されるワッシャー部及びこのワッシャー部に接続されたフック部を有するフック付きワッシャーと、このフック付きワッシャーに取り付けられて前記ワッシャー部に軸部が通されたねじの頭部を覆うキャップを備えたことを特徴とするフック付きワッシャーセット。
【請求項２】
請求項１に記載のフック付きワッシャーセットを用いた取付物の取付構造であって、前記取付物に形成された取付部が前記被取付部となる壁面に沿って配置され、前記ねじの軸部が前記フック付きワッシャーのワッシャー部及び取付部に順に通された後、前記壁面に固着されて、前記取付部が前記壁面に固定されると共に前記取付部に前記フック付きワッシャーが固定され、前記フック付きワッシャーに前記キャップが取り付けられ、このキャップで前記ねじの頭部が覆われたことを特徴とする取付物の取付構造。
【発明の詳細な説明】
【技術分野】
【０００１】
本発明はフックを設ける技術に関する。
【背景技術】
【０００２】
洗面化粧台等が設置される洗面所においては、持ち手を有するコップや柄に孔があけられた歯ブラシ等、引っ掛けられる小物が多く利用されている。従来、これら小物を引っ掛けるために洗面化粧台等に吸盤や両面テープを用いて小物を引っ掛けるためのフックが設けられていた。
【０００３】
また、特許文献１には浴室壁に取り付けられるカウンターに取付ねじを用いてフックが取り付けられ、該フックに載置プレートが引っ掛けられた技術が開示されている。
【先行技術文献】
【特許文献】
【０００４】
【特許文献１】特開２００７−２８９４９８号公報
【発明の概要】
【発明が解決しようとする課題】
【０００５】
しかし、前述したフックは洗面化粧台やカウンター等に取り付けるために吸盤や両面テープ、取付ねじ等を別途用いる必要があり、また、これら吸盤や両面テープ、取付ねじ等が外観上露出して外観が害されることもある。
【０００６】
本発明は上記事情に鑑みてなされたものであり、専用の固着具を用いることなくフックを設けることができ、且つ、取付け状態において見栄えの良いフック付きワッシャーセット及び取付物の取付構造を提供することを課題とする。
【課題を解決するための手段】
【０００７】
上記課題を解決するために本発明のフック付きワッシャーセットは、取付物を被取付部に取り付けるためのねじの軸部が通されるワッシャー部及びこのワッシャー部に接続されたフック部を有するフック付きワッシャーと、このフック付きワッシャーに取り付けられて前記ワッシャー部に軸部が通されたねじの頭部を覆うキャップを備えたことを特徴とする。
【０００８】
また、本発明の取付物の取付構造は、前記フック付きワッシャーセットを用いた取付物の取付構造であって、前記取付物に形成された取付部が前記被取付部となる壁に沿って配置され、前記ねじの軸部が前記フック付きワッシャーのワッシャー部及び取付部に順に通された後、前記壁に固着されて、前記取付部が前記壁に固定されると共に前記取付部に前記フック付きワッシャーが固定され、前記フック付きワッシャーに前記キャップが取り付けられ、このキャップで前記ねじの頭部が覆われたことを特徴とする。
【発明の効果】
【０００９】
本発明のフック付きワッシャーセットは、ワッシャー部に引掛物を引っ掛けるためのフック部が接続されたフック付きワッシャーを備えている。このため、取付物を被取付部にねじで取り付けるにあたって、一般のワッシャーに替えてフック付きワッシャーのワッシャー部にねじを通すことで、取付物を被取付部に取り付けるためのねじを用いて、フック部を取付物に設けることができる。従って、専用の固着具を用いることなくフックを取付物に設けることができる。また、取付物に取り付けられたフック付きワッシャーにキャップを取り付けて、キャップでワッシャー部に軸部が通されたねじの頭部を覆うことができ、見栄えが良い。
【図面の簡単な説明】
【００１０】
【図１】本発明の実施形態のフック付きワッシャーセット及びねじの分解斜視図である。
【図２】フック付きワッシャーセットを取付けた洗面化粧台の斜視図である。
【図３】フック付きワッシャーセットを用いた洗面化粧台の取付構造の断面図である。
【発明を実施するための形態】
【００１１】
以下、本発明を添付図面に基づいて説明する。図１乃至図３に示す本実施形態のフック付きワッシャーセット１は、取付物を被取付部に取り付ける際に一般のワッシャーに替えて用いられるものであり、以下では被取付部を建物内の壁１６とし、取付物を壁１６に沿って設置される洗面化粧台のキャビネット１７とした例につき説明する。なお、以下のフック付きワッシャーセット１の説明ではキャビネット１７に取り付けた状態における方向を基準として説明し、すなわち、図３の矢印ａ、矢印ｂ、矢印ｃ及び矢印ｄで示す方向の夫々を前方、後方、上方、及び下方と定義して説明する。
【００１２】
図１に示されるように本実施形態のフック付きワッシャーセット１は、フック付きワッシャー５と、フック付きワッシャー５に着脱自在に取り付けられるキャップ６で構成されている。
【００１３】
フック付きワッシャー５は、ワッシャー部７と、ワッシャー部７から下方に向けて一体に伸び出たフック部８で構成されている。
【００１４】
ワッシャー部７は円環板状に形成され、その中心にはねじ２の頭部２ａよりも小径で且つねじ２の軸部２ｂよりも大径の円形の孔９が形成されている。ワッシャー部７の中央部は外縁部よりも後方に一段凹んだねじ当て部１１とされ、ねじ当て部１１よりも前側に突出した外縁部は被係止部１０とされている。
【００１５】
フック部８は、上端がワッシャー部９の被係止部１０又はねじ当て部１１に接続され、側面視略Ｊ字状に曲げられた片部からなる。
【００１６】
キャップ６は、ワッシャー部９と略同径の円盤部１２と、円盤部１２の周縁から後方に突出する周壁部１３で構成され、図３のように周壁部１３の後縁部には内方に突出する係止部１５が形成されている。
【００１７】
図２に示すキャビネット１７は、図示しない洗面ボウルを有する洗面台の後端部上方に配設され、この洗面台とキャビネット１７で洗面化粧台が構成される。キャビネット１７は前面にミラー１８が設けられたミラー付きキャビネットであり、キャビネット１７のミラー１８の両側には小物を収納するための前方に開口する収納部１９が形成されている。各収納部１９には小物を載置するためのトレイ等が設けられている。本実施形態では各収納部１９の後壁部が壁１６に取り付けられる取付部２１となっており、各取付部２１には図３のようにねじ２の軸部２ｂを通すための前後方向に貫通する通し孔２２が形成されている。
【００１８】
各取付部２１を壁１６に取り付けるには、図３に示すように壁１６に沿わせた取付部２１の前面に、フック付きワッシャー５のワッシャー部７の背面を当て、この状態でねじ２の軸部２ｂをワッシャー部７の孔９及び取付部２１の通し孔２２に順に通して、軸部２ｂの先部を壁１６に捻じ込み固着する。これによって、取付部２１は壁１６に対して固定される。また、フック付きワッシャー５はねじ当て部１１がねじ２の頭部２ａと取付部２１の間に挟まれて支持され、これによって取付部２１に対して固定される。
【００１９】
このように取付部２１に取り付けられたフック付きワッシャー５にはキャップ６が取り付けられる。キャップ６を取り付けるには、キャップ６をワッシャー部９に前側から被せる。これによって係止部１５はワッシャー部７の被係止部１０の後面と係わり合って止まり、キャップ６はワッシャー部７に対して着脱自在に取り付けられることとなる。このようにフック付きワッシャーセット１に取り付けられたキャップ６は円盤部１２がワッシャー部７及びねじ２の頭部２ａの前方に配置され、円盤部１２でワッシャー部７及びねじ２の頭部２ａの前側が覆われる。また、フック部８はキャップ６から下方に突出する。
【００２０】
このようにキャビネット１７にフック付きワッシャー５を取り付けることで、フック付きワッシャー５が有するフック部８の先端部に、持ち手を有するコップや柄に孔があけられた歯ブラシ等の引掛物を引っ掛けて支持することが可能になる。
【００２１】
本実施形態のフック付きワッシャーセット１は、ワッシャー部７にフック部８が接続されたフック付きワッシャー５を備えている。このため、取付物であるキャビネット１７を被取付部となる壁１６にねじ２で取り付けるにあたって、一般のワッシャーに替えてフック付きワッシャー５のワッシャー部７にねじ２を通すだけで、キャビネット１７を壁１６に取り付けるためのねじ２を用いて、キャビネット１７にフックを設けることができる。また、前述のようにキャビネット１７に取り付けられたフック付きワッシャー５にキャップ６を取り付けることで、キャップ６でワッシャー部７に通されたねじ２の頭部２ａを覆うことができ、見栄えが良い。また、ワッシャー部７に通されるねじ２は建物の壁１６に固着されるため、フック付きワッシャー５を強固に取り付けることができ、フック部８の支持強度が増す。
【００２２】
なお、本実施形態では取付物をキャビネット１７としたが、これに限定されるものではなく、取付物はねじ２により被取付部に取り付けられるものであればよい。また、被取付部も壁１６に限られるものではない。
【符号の説明】
【００２３】
２  ねじ
２ａ  頭部
２ｂ  軸部
４  ワッシャー部
６  キャップ
８  フック部
【図１】
2011200603.tif 000003
【図２】
2011200603.tif 000004
【図３】
2011200603.tif 000005